(57)【要約】【課題】鏡板を安全に保持し、片手で簡単に鏡面を開いて素早く鏡を見ることができる、特に携帯電話用として好適な鏡付きストラップを提供する。【解決手段】鏡付きストラップ１は、互いに重ね合わされる正面側板体２及び背面側板体３と、両板体２、３の結合部分に取り付けられた吊下部材４と、背面側板体３に取り付けられた鏡板５とを備える。背面側板体３は、可折部３３を境にして過半部３１と未半部３２とが折曲揺動可能に形成され、未半部３２が正面側板体２に結合され、該結合部分に吊下部材４が取り付けられる。鏡板５は、背面側板体３の過半部３１における正面側板体２との重合面側に取り付けられる。両板体２、３の結合部分を下にして持つと、背面側板体３の過半部３１が鏡板５の重みによって正面側板体２から離反するように折曲し、手軽に鏡を見ることができる。【選択図】図６
0003167843.tif 000002
【実用新案登録請求の範囲】
【請求項１】
互いに重ね合わされる正面側板体及び背面側板体と、
それら両板体の結合部分に取り付けられた吊下部材と、
前記背面側板体に取り付けられた鏡板と、を備え、
前記背面側板体は、それ自体を過半部と未半部とに分割する位置に設けられた可折部を境にして折曲揺動可能に形成され、
前記背面側板体の未半部が前記正面側板体に結合されるとともに、該結合部分を貫通するようにして該結合部分に吊下部材が取り付けられ、
前記背面側板体の過半部における正面側板体との重合面側に、鏡板がその鏡面を正面側板体に向けて取り付けられ、
前記背面側板体の未半部と前記正面側板体との結合部分を下側にすると、鏡板を取り付けた前記背面側板体の過半部が前記正面側板体から離反するようにして背面側板体が折曲するように構成されたことを特徴とする鏡付きストラップ。
【請求項２】
請求項１に記載された鏡付きストラップにおいて、
前記背面側板体は、厚紙、合成樹脂、金属等から成る薄板を芯材とし、該芯材の表裏両面に織布、不織布、軟質の合成樹脂シート等から成る柔軟な表装材を貼着して形成されるとともに、
前記可折部は、前記芯材を直線状に分断して、該分断箇所の表裏両面の表装材同士を貼り合わせることにより、該表装材自体の可撓性によって折曲揺動し得るように形成されたことを特徴とする鏡付きストラップ。
【請求項３】
請求項１又は２に記載された鏡付きストラップにおいて、
前記背面側板体の可折部は、背面側板体を正面側板体に重ね合わせた状態から最大１２０度まで折曲するように形成されたことを特徴とする鏡付きストラップ。
【考案の詳細な説明】
【技術分野】
【０００１】
本考案は、携帯電話やバッグ等に吊り下げて携行するストラップに関し、より詳細には、小型の手鏡を装着して手軽に利用できるようにした鏡付きストラップに関する。
【背景技術】
【０００２】
外出先での化粧直しやコンタクトレンズの着脱等に備えて、小型の手鏡をハンドバッグ等に入れて携行する女性は多い。コンパクトミラー、或いはエチケットミラーなどと称されるその種の手鏡は、例えば特許文献１に開示されているように、プラスチック、金属、陶磁器、木材等からなるフレームにガラス製の鏡板を嵌め込んで形成されるのが一般的である。また、特許文献２に開示されているように、そのフレームに、ヒンジを介して、鏡面を保護するための蓋体が開閉自在に取り付けられたものもよく利用されている。
【先行技術文献】
【特許文献】
【０００３】
【特許文献１】実登３１１８９４４号公報
【特許文献２】実登３１０２８５５号公報
【考案の概要】
【考案が解決しようとする課題】
【０００４】
近年、携帯電話の多機能化に伴って、日常生活における携帯電話への依存度が高くなり、多くの人々が様々な場所で頻繁に携帯電話を手にする機会が増えている。この携帯電話に手鏡を取り付ければ、仕事の休憩中、レストランで食事した後、買い物の途中、乗り物の中など、いつでもどこでも、携帯電話を取り出したついでに、さりげなく鏡を見ることができて便利になる。前記特許文献１にも、手鏡のフレームに紐や鎖などを取り付けて携帯電話用のストラップにする態様が提案されている。
【０００５】
ただし、手鏡をストラップのようにして携帯電話にぶら下げると、携帯電話を出し入れしたり操作したりするたびに、手鏡がブラブラと揺れ動く。フレームに鏡板を嵌め込んだだけで鏡面が常に露出している手鏡ならば、その鏡面と携帯電話とが擦れ合って互いに傷ついたり、鏡面が他の固いものにぶつかって損傷したりするおそれがある。したがって、手鏡を携帯電話用のストラップとする場合には、フレームに蓋体を設けて鏡面を保護することが望ましい。しかしながら、前記特許文献２に開示されているように、ヒンジを介してフレームに蓋体を取り付けると、蓋体を片手で手軽に開閉するのが難しくなり、ちょっとしたタイミングで素早く鏡を見る、といった使い方がしづらくなる。
【０００６】
そこで、本考案は、特に携帯電話用のストラップとして利用する態様において、鏡面や携帯電話を損傷させないように、鏡板を安全に保持することができ、かつ、片手で簡単に鏡面を開いて素早く鏡を見ることができる、使い勝手に優れた鏡付きストラップを提供するものである。
【課題を解決するための手段】
【０００７】
前述の課題を解決するため、本考案の鏡付きストラップは、互いに重ね合わされる正面側板体及び背面側板体と、それら両板体の結合部分に取り付けられた吊下部材と、前記背面側板体に取り付けられた鏡板と、を備え、前記背面側板体は、それ自体を過半部と未半部とに分割する位置に設けられた可折部を境にして折曲揺動可能に形成され、前記背面側板体の未半部が前記正面側板体に結合されるとともに、該結合部分を貫通するようにして該結合部分に吊下部材が取り付けられ、前記背面側板体の過半部における正面側板体との重合面側に、鏡板がその鏡面を正面側板体に向けて取り付けられ、前記背面側板体の未半部と前記正面側板体との結合部分を下側にすると、鏡板を取り付けた前記背面側板体の過半部が前記正面側板体から離反するようにして背面側板体が折曲する、との構成を採用する。
【０００８】
この構成によると、吊下部材を介して背面側板体及び正面側板体をぶら下げたとき、両半体がそれぞれの自重により垂下して重なり合い、正面側板体が、背面側板体に取り付けられた鏡板に対する蓋体となって、鏡面を保護する。また、背面側板体と正面側板体との結合部分を指先で持ち、両板体をひっくり返すと、鏡板が取り付けられた背面側板体の過半部が、鏡板の重みによって正面側板体から自然に離反し、鏡板が利用可能になる。
【０００９】
前述の構成において、前記背面側板体は、厚紙、合成樹脂、金属等から成る薄板を芯材とし、該芯材の表裏両面に織布、不織布、軟質の合成樹脂シート等から成る柔軟な表装材を貼着して形成されるとともに、前記可折部は、前記芯材を直線状に分断して、該分断箇所の表裏両面の表装材同士を貼り合わせることにより、該表装材自体の可撓性によって折曲揺動し得るように形成されたものとすることができる。
【００１０】
また、前述の構成において、前記背面側板体の可折部は、背面側板体を正面側板体に重ね合わせた状態から最大１２０度まで折曲するように形成されるのが、実用面からは好ましい。
【考案の効果】
【００１１】
前述のように構成される本考案の鏡付きストラップは、自然にぶら下げた状態では背面側板体と正面側板体とが重なり合うように閉じ、鏡板を挟み込んで保護するので、多少、激しく揺れ動いても問題ない。鏡を見たいときには、背面側板体と正面側板体との結合部分を指先で持って両板体をひっくり返すと、鏡板が正面側板体から離反するようにして背面側板体が自然に折れ曲がる。鏡を見終わったら、両板体を下に向けるだけで、両板体が自然に閉じる。このように、両板体を開閉するための特別な操作等は必要なく、両板体の結合部分を持って両板体の向きを変えるだけで、きわめて簡単かつ迅速に、手鏡を利用することができる。
【図面の簡単な説明】
【００１２】
【図１】本考案の実施形態に係る鏡付きストラップの正面図である。
【図２】同、背面図である。
【図３】同、右側面図である。
【図４】同、上面図である。
【図５】同、底面図である。
【図６】同、使用状態を説明する斜視図である。
【図７】本考案の他の意匠に係る鏡付きストラップの正面図である。
【図８】図７に示した鏡付きストラップの使用状態を説明する斜視図である。
【図９】本考案の他の意匠に係る鏡付きストラップの正面図である。
【図１０】図９に示した鏡付きストラップの使用状態を説明する斜視図である。
【考案を実施するための形態】
【００１３】
以下、本考案の実施の形態について図を参照して説明する。
【００１４】
図１−図５は、本考案の実施形態に係る鏡付きストラップの構成を示す。この鏡付きストラップ１は、正面側板体２と背面側板体３とを重ね合わせて、それらの一部を結合し、該結合部分に吊下部材４を取り付けて携帯電話等に吊り下げられるように構成したものである。
【００１５】
正面側板体２及び背面側板体３の形状は、互いの重合面が略平坦になりさえすれば特に限定されない。例示形態においては、正面側板体２及び背面側板体３がいずれも、舞妓人形の姿を象った略同一・同寸の外形をなすように形成されている。
【００１６】
正面側板体２及び背面側板体３の材質も特に限定されないが、実用面からは、多少の厚みと柔軟性を備えるのが好ましい。例えば、厚紙、合成樹脂、金属等から成る薄板を芯材とし、該芯材の表裏両面に織布、不織布、軟質の合成樹脂シート等から成る柔軟な表装材を貼着して芯材を包むような構造を採用することができる。例示形態では、芯材（図示せず）に合成樹脂製の薄板を採用し、その表面（外側になる面）にはクッション材（図示せず）を当てがって適宜の模様を施した縮緬生地からなる表地を被せ、芯材の裏面（互いに重なり合う面）には平織の裏地を被せて、それら表地と裏地の周縁部同士を貼着している。
【００１７】
正面側板体２は全体で一枚の板状になるように形成されているが、背面側板体３は、その中間で折れ曲がり、自由に揺動するように形成されている。すなわち、背面側板体３が、全体の半分よりも大きい面積を占める過半部３１（例示形態では、舞妓人形の首よりも下の部分）と、残余の未半部３２（同、舞妓人形の頭部）とに分割され、その境目が折曲揺動可能な可折部３３となされている。
【００１８】
この可折部３３は、例えば、芯材を直線状に分断して少し隙間を設け、該分断箇所の表裏両面の表装材同士を互いに貼り合わせることにより、該表装材自体の可撓性や柔軟性に依存して折曲揺動するように形成される。このとき、可折部３３が概ね９０度〜１２０度、折曲するように、芯材の厚み、表装材の材質や接着方法等を選択するのが好ましい。
【００１９】
背面側板体３における過半部３１と未半部３２との面積割合や可折部３３の位置は特に限定されないが、本考案では実用性に考慮して、面積が小さいほうの未半部３２を正面側板体２に結合し、大きい面積を占める過半部３１のほうに鏡板５を取り付ける。
【００２０】
背面側板体３の未半部３２と正面側板体２との結合部分は、裏地同士が接着され、さらに両板体２、３を貫通するようにハトメ金具６が打ち込まれている。このハトメ金具に、二重カン４１、カニカン（キーフック）４２、ストラップ紐パーツ（松葉）等を適宜組み合わせた吊下部材４が取り付けられる。
【００２１】
鏡板５は、背面側板体３の過半部３１における正面側板体２との重合面側に、鏡面を正面側板体２に向けて取り付けられる。例示形態の鏡板５は正円形で、背面側板体３の裏地に接着されているが、鏡板５の形状や固定方法は、背面側板体３の形状や材質に応じて適宜選択可能である。
【００２２】
図６は、この鏡付きストラップ１の使用状態を示す。鏡付きストラップ１が吊下部材４を介して自然に吊り下げられているとき、正面側板体２と背面側板体３とはそれぞれの自重により垂下して重なり合う。正面側板体２は、背面側板体３に取り付けられた鏡板５に対する蓋体となって、鏡面を保護する。
【００２３】
鏡を見たいときには、背面側板体３と正面側板体２との結合部分（例示形態では、舞妓人形の頭部）を指先で持ち、鏡付きストラップ１を倒立させるようにひっくり返す。すると、鏡板５の重みによって背面側板体３が自然に折れ曲がり、鏡板５が取り付けられている過半部３１が、正面側板体２から自然に離反して、鏡板５が横向きないし斜め下向きになる。
【００２４】
鏡を見終わったら、鏡付きストラップ１を元の吊持状態に戻すだけで、両板体２、３が自然に閉じる。このように、両板体２、３を開閉するための特別な操作等は必要なく、両板体２、３の結合部分を持って両板体２、３の向きを変えるだけで、きわめて簡単かつ迅速に、手鏡を利用することができる。
【００２５】
図７−図８は、本考案の他の意匠に係る鏡付きストラップ１の構成を示す。この鏡付きストラップ１は、正面側板体２及び背面側板体３の外形が、ウサギのキャラクターを象った形状になっている。背面側板体３に設けられる可折部３３は、ウサギの両耳の付け根付近（図７中の一点鎖線の位置）に形成されている。鏡板５は正円形で、背面側板体３におけるウサギの胴体部分に取り付けられている。各部の基本的な構造や材質は、図１−図５に示した前述の実施形態と同様である。
【００２６】
図９−図１０は、本考案のさらに他の意匠に係る鏡付きストラップ１の構成を示す。この鏡付きストラップ１は、正面側板体２及び背面側板体３の外形が、クマのキャラクターの顔を象った形状になっている。背面側板体３に設けられる可折部３３は、クマの片耳の付け根付近（図９中の一点鎖線の位置）に形成されている。鏡板５は正円形で、背面側板体３におけるクマの顔部分に取り付けられている。各部の基本的な構造や材質は、図１−図５に示した前述の実施形態と同様である。
【００２７】
このように本考案は、正面側板体２及び背面側板体３の意匠を様々に変化させて実施することができる。両板体２、３の形状や材質は必ずしも揃えなくてよいし、両板体２、３の表面に、さらに立体的な装飾を施すことも可能であるから、手鏡の携行に関して多様な趣味性を反映させることができる。
【符号の説明】
【００２８】
１  鏡付きストラップ
２  正面側板体
３  背面側板体
３１  過半部
３２  未半部
３３  可折部
４  吊下部材
５  鏡板
【図１】
0003167843.tif 000003
【図２】
0003167843.tif 000004
【図３】
0003167843.tif 000005
【図４】
0003167843.tif 000006
【図５】
0003167843.tif 000007
【図６】
0003167843.tif 000008
【図７】
0003167843.tif 000009
【図８】
0003167843.tif 000010
【図９】
0003167843.tif 000011
【図１０】
0003167843.tif 000012